(57)【特許請求の範囲】
【請求項１】
柄部と、この柄部に結合した凹部を有する掬い部とから構成されたスプーンであり、掬い部は周縁部と内側部とで構成され、周縁部は剛性を高く、内側部は剛性を低くして、柄部から掬い部にかける柄部の略中央軸をヒンジ部として、このヒンジ部の両側に操作部を設け、この操作部を握ることにより、操作部が内方に回動し、掬い部の凹部が凸形状に反転することを特徴とする反転スプーン。
【請求項２】
請求項１の反転スプーンの掬い部の周縁部を肉厚とし、内側部を肉薄としたことを特徴とする反転スプーン。
【請求項３】
請求項１又は請求項２の反転スプーンにおいて、柄部から掬い部にかけ、一対の芯材を入れて剛性を上げたことを特徴とする反転スプーン。
【発明の詳細な説明】
【技術分野】
【０００１】
この発明は、ジャムや蜂蜜等の粘稠性のある食物を掬い易く、無駄なく食すために使用する反転スプーンに関する。
【背景技術】
【０００２】
従来から、ジャムや蜂蜜等の粘稠性のある食物をスプーンで掬ってパン等に塗布して食していた。このとき、スプーンの掬い部の凹部にジャム等が溜まって取り難く、食後は凹部に溜まったジャム等を捨ててしまうことになる問題点があった。また、凹部のないバターナイフ等でジャム等を掬うと十分な量が掬えず、途中でジャム等が落ちてしまうという問題があった。
【先行技術文献】
【特許文献】
【０００３】
【特許文献１】特開２０１１−２３４８５４
【特許文献２】特開２００３−２５９９５７
【発明の概要】
【発明が解決しようとする課題】
【０００４】
特許文献１の従来技術は、蜂蜜の様な粘稠性の食物が落下し難くしたスプーンであるが、曲面の凹形状をした収容部２０に蜂蜜が残留してしまい取り難いとう問題点は解決されていなかった。
【０００５】
特許文献２の従来技術は、凹みの部分から食物を取り除き易くしたものであったが、主体と壁構成の間を隙間なく、しかもスライドし易く形成するのが難しく、十分な凹部容積を取るのも難しいという問題があった。
【０００６】
上記の従来技術のスプーンは、凹部に溜まった食物を取るのが困難であったり、構造が複雑であったりするという問題点があった。
【課題を解決するための手段】
【０００７】
柄部と、この柄部に結合した凹部を有する掬い部とから構成されたスプーンであり、掬い部は周縁部と内側部とで構成され、周縁部は剛性を高く、内側部は剛性を低くして、この凹部が凸形状に反転可能である反転スプーンである。
【発明の効果】
【０００８】
上記の問題点を解決し、スプーンの掬い部の凹部に食物が残らないようにすることができる。
【図面の簡単な説明】
【０００９】
【図１】第一の実施例の反転スプーン１０の自由状態を示す斜視図である。
【図２】図１のＡＡ断面図である。
【図３】図１のＭＭ断面図である。
【図４】第一の実施例の反転スプーン１０の反転状態を示す斜視図である。
【図５】図４のＢＢ断面図である。
【図６】図４のＮＮ断面図である。
【図７】第二の実施例の反転スプーン１０の自由状態を示す斜視図である。
【図８】図７のＣＣ断面図である。
【図９】図７のＥＥ断面図である。
【図１０】図７のＫ視図である。
【図１１】図７のＰＰ断面図である。
【図１２】第二の実施例の反転スプーン１０の反転状態を示す斜視図である。
【図１３】図１２のＤＤ断面図である。
【図１４】図１２のＬ視図である。
【図１５】図１２のＱＱ断面図である。
【図１６】第三の実施例の反転スプーン１０の自由状態を示す斜視図である。
【発明を実施するための形態】
【００１０】
柄部と、この柄部に結合した凹部を有する掬い部とから構成されたスプーンであり、掬い部は周縁部と内側部とで構成され、周縁部は剛性を高く、内側部は剛性を低くして、この凹部が凸形状に反転可能である反転スプーンである。
【００１１】
上記の反転スプーンの掬い部の周縁部を肉厚とし、内側部を肉薄としたことを特徴とする反転スプーンである。
上記の反転スプーンにおいて、柄部から掬い部にかける柄部の略中央軸をヒンジ部として、このヒンジ部の両側に一対の操作部を設け、この操作部を握り押圧することにより、操作部が内方に回動し、掬い部の凹部が凸形状に反転することを特徴とする反転スプーンである。
【実施例】
【００１２】
図１、図２、図３は、この発明の第一の実施例の反転スプーン１０の自由状態を示す。この発明の第一の実施例の反転スプーン１０は、柄部２０と掬い部３０とから構成されている。掬い部３０は、周縁部３１と内側部である中央部３３と中間部３２とから構成され、上方が凹部となるよう形成されている。反転スプーン１０は、シリコンゴム等の柔軟性を有する材料で一体に成形されている。図２と図３に示すように、掬い部３０の周縁部３１は厚肉に成形して剛性を高くし、内側部の中央部３３と中間部３２は薄肉に成形して剛性を低くしてある。このため、掬い部３０の外形形状は維持しつつ内側部は反転し易くすることができる。
【００１３】
この場合、中央部３３よりも中間部３２をさらに薄くして、形状安定性を確保しつつ反転し易くすることもできる。また、中央部３３を平らな形状にしてジャム等をより拭い易くすることもできる。
【００１４】
図４、図５、図６は、第一の実施例の反転スプーン１０の反転状態を示す。掬い部３０の底部を上方に押圧すると、中央部３３と中間部３２が上方に移行して上方に凸形状となり、掬い部３０に溜まったジャム等の粘稠性を有する食物は、パンに塗り付けたり、ジャム等の容器の口に拭って容易に取り除くことができる。
【００１５】
図７、図８、図９、図１０、図１１は、第二の実施例の反転スプーン１０の自由状態を示す。この実施例においては、柄部２０から掬い部３０にかけての中央軸にヒンジ部２２と、その両側に一対の操作部２１とが設けられている。ヒンジ部２２は薄肉として剛性を下げ、操作部２１は厚肉として剛性を上げている。柄部２０の断面は上方に頂部が来るような山形の傾斜が設けられているので、Ｆ方向の力がヒンジ部２２に対してオフセットしている。
【００１６】
図１２、図１３、図１４、図１５は、第二の実施例の反転スプーン１０の反転状態を示す。柄部２０を握ると操作部２１が両側からＦ方向に押圧されて、図１４に示すように操作部２１がＧ方向に回動する。すると、操作部２１と繋がった掬い部３０の周縁部３１も同方向に回動し、掬い部３０が上方に凸形状となるよう反転する。ここで、Ｆ方向の力はヒンジ部２２に対しオフセットしているので、Ｇ方向のモーメントが生じるのである。
【００１７】
図１６は、第三の実施例の反転スプーン１０の自由状態を示す。この実施例の反転スプーン１０は、全体を軟質材料で作り剛性が不十分な場合、一対の芯材４０を入れて剛性を上げたものである。
【産業上の利用可能性】
【００１８】
この発明の反転スプーンは粘稠性のある食物用であるが、ペンキなど他の粘稠性のある材料にも利用可能である。
【符号の説明】
【００１９】
１０は反転スプーン
２０は柄部
２１は操作部
２２はヒンジ部
３０は掬い部
３１は周縁部
３２は中間部
３３は中央部
４０は芯材
【図１】
0005856123.tif 000002
【図２】
0005856123.tif 000003
【図３】
0005856123.tif 000004
【図４】
0005856123.tif 000005
【図５】
0005856123.tif 000006
【図６】
0005856123.tif 000007
【図７】
0005856123.tif 000008
【図８】
0005856123.tif 000009
【図９】
0005856123.tif 000010
【図１０】
0005856123.tif 000011
【図１１】
0005856123.tif 000012
【図１２】
0005856123.tif 000013
【図１３】
0005856123.tif 000014
【図１４】
0005856123.tif 000015
【図１５】
0005856123.tif 000016
【図１６】
0005856123.tif 000017